【事件の表示】
　特願２００４−２２０５８６「ＬＥＤモジュール」拒絶査定不服審判事件〔平成１７年　３月　３日出願公開、特開２００５−　５７２７２〕について、次のとおり審決する。
【結　論】
　本件審判の請求は、成り立たない。
【理　由】
第１　手続の経緯  
　本願は、平成１６年７月２８日（パリ条約による優先権主張２００３年７月３１日、ドイツ）の出願であって、 平成２２年１０月１日付けで拒絶の理由が通知され、平成２３年１月１１日に手続補正がなされたが、同年３月２２日付けで拒絶査定がなされ、これに対して、同年８月１日に拒絶査定不服審判が請求されると同時に手続補正がなされた後、当審において、平成２４年８月２１日付けで拒絶の理由（以下「当審拒絶理由」という。）が通知され、同年１２月２５日付けで意見書が提出されたものである。　
　　 
第２　本願発明 
　本願の請求項に係る発明は、平成２３年８月１日付けの手続補正書の請求項１ないし１４に記載された事項により特定されるとおりのものであるところ、その請求項１に係る発明（以下「本願発明」という。）は、次のとおりのものである。 
　    　
　「複数の混合光ＬＥＤ（１）および複数の補助ＬＥＤ（２）を包含する、複数のＬＥＤを有するＬＥＤモジュールにおいて、
　
前記混合光ＬＥＤ（１）は１つのＬＥＤチップ（４）をそれぞれ有し、該１つのＬＥＤチップ（１）はそれぞれ第１のケーシング内に配置されており
　
補助ＬＥＤ（２）は放射波長が異なる複数のＬＥＤチップ（６，７，８）をそれぞれ有し、該ＬＥＤチップ（６，７，８）はそれぞれ共通の第２のケーシング（９）内に配置されており
　前記第１のケーシングおよび前記第２のケーシング（９）は共通の基板（３）上に取り付けられていることを特徴とする、複数のＬＥＤを有するＬＥＤモジュール。」（なお、下線は当審で付した。以下同じ。）
　　                   　　
第３　刊行物の記載　　　　 
１　刊行物に記載された事項 　 
（１）当審拒絶理由で引用した、本願の優先日前に頒布された刊行物である特開２００３−５８１２５号公報 （以下「引用文献」という。）には図とともに以下の記載がある。   　
　                        　
　ア　「【請求項１０】 
 表示部を照明するために白色ＬＥＤを用いた照明光源部と、色温度補正用照明光源と、前記白色ＬＥＤおよび色温度補正用照明光源の駆動を行う駆動手段と、照明調整モードを設定する設定手段と、前記白色ＬＥＤの特性データを記載した特性記憶手段と、前記照明調整モードが設定されたとき、前記特性データ記憶手段により記憶された特性データに基づいて、前記駆動手段を制御する制御手段と、を有し、前記制御手段は、前記照明調整モードで駆動された前記照明光源および色温度補正用照明光源の合成特性が、所定の特性になるよう前記駆動手段を制御し、前記所定の特性における駆動状態に基づき前記特性データを変更することを特徴とする電子機器
 　 
　イ　「【０００５】しかしながら、ＬＥＤをバックライト部用の光源として用いた場合における問題の一つは、発光光の照度や分光特性が一様ではなく、個々に発光特性のバラツキがあるということである。特に、
白色ＬＥＤは例えば青色波長の光源からの光を蛍光材料により波長変換して白色光を得るため、蛍光材料による白色点変動が大きいという問題がある
【０００６】本発明は、かかる従来技術の問題点に鑑みてなされたものであり、低コストでありながら、
ＬＥＤをバックライトやフロントライト等の照明光源として用いた場合でも、画像の所望の色を再現できる表示部を備えた電子機器を提供することを目的とする
　　
　ウ　「【００４１】図１２は実際のＬＥＤの配列を示す図である。図１２に示すように、各ＬＥＤ１６０ａ、１６０ｂ、１６０ｃは、回路基板ＰＣ上に配列され、この例では、図白色ＬＥＤ１６０ａの両側に青色ＬＥＤ１６０ｂと赤色ＬＥＤ１６０ｃとが配列されている。
ここでは、白色ＬＥＤ１６０ａの補正のために、白色ＬＥＤ１６０ａと同数の青色ＬＥＤ１６０ｂと赤色ＬＥＤ１６０ｃを配している
基板面積を小さくする場合には、青色ＬＥＤ１６０ｂと赤色ＬＥＤ１６０ｃとを組み合わせた素子を使用しても良い
　 
　エ　「【００４２】次に、本案施の形態の動作について説明する。まず、デジタルスチルカメラ１００の製造時に、たとえば、調整用特殊ソフトウエアやソフトウエアの隠し操作（マニュアルには記載されない操作方法）などにより、カメラを調整モードに設定する。
調整モードでは、例えば特定値のグレーや白色を表示するので、現在のバックライト発光特性（発光の分光特性や輝度など）を測色的に測定する。測定した発光特性に基づき、白色ＬＥＤ１６０ａの発光輝度を駆動電流を変化させることにより調整した後、色温度補正用ＬＥＤ（１６０ｂ、１６０ｃ）の駆動電流を変更し所定の照明色温度になるように調整する。具体的には、色温度が高い場合には、青色ＬＥＤ１６０ｂの駆動電流を低下させ、赤色ＬＥＤ１６０ｃの駆動電流を増加させる。あるいは、色温度が低い場合には、赤色ＬＥＤ１６０ｃの駆動電流を低下させ、青色ＬＥＤ１６０ｂの駆動電流を増加させる
所定の照明特性になった（合成特性が所定の特性になったともいう）段階で、特性データを取得し、ＣＰＵ１１０の内部メモリ（不図示の特性データ記憶手段であるＥＥＰＲＯＭなど）に記憶しておく
　　 
　オ　図１２は、以下のものである。
　　　
２　引用文献に記載された発明  
　ア　上記（１）アの記載に照らせば、
　引用文献には、
　「表示部を照明するために白色ＬＥＤを用いた照明光源部と、
色温度補正用照明光源と、
白色ＬＥＤおよび色温度補正用照明光源の駆動を行う駆動手段と、
照明調整モードを設定する設定手段と、
白色ＬＥＤの特性データを記載した特性記憶手段と、
照明調整モードが設定されたとき、特性データ記憶手段により記憶された特性データに基づいて、駆動手段を制御する制御手段と、を有し、
　制御手段は、照明調整モードで駆動された照明光源および色温度補正用照明光源の合成特性が、所定の特性になるよう駆動手段を制御し、所定の特性における駆動状態に基づき特性データを変更する、電子機器。」  　
が記載されているものと認められる。　  　
　
　イ　上記（１）イの記載に照らせば、
　上記アの「白色ＬＥＤ」は、「青色波長の光源からの光を蛍光材料により波長変換して白色光を得る白色ＬＥＤ」であるといえる。
　
　ウ　上記（１）イ及びウの記載を踏まえて、図１２を見ると、
　白色ＬＥＤ１６０ａを用いた照明光源部と青色ＬＥＤ１６０ｂと赤色ＬＥＤ１６０ｃを用いた色温度補正用照明光源は
同じ回路基板ＰＣ上
　また、上記アの「白色ＬＥＤを用いた照明光源部」は、
３個の
　上記アの「色温度補正用照明光源」は、
３個の
３個の
      　
　エ　上記（１）イの「基板面積を小さくする場合には、青色ＬＥＤ１６０ｂと赤色ＬＥＤ１６０ｃとを組み合わせた素子を使用しても良い。」との記載に照らせば、 
　上記アの「色温度補正用照明光源」は「青色ＬＥＤ１６０ｂと赤色ＬＥＤ１６０ｃとを組み合わせた素子」であるといえる。　　 
 　　　  　
　オ　上記（１）エの記載に照らせば、
　調整モードでは、
　現在のバックライト発光特性を測色的に測定し、測定した発光特性に基づき、色温度が高い場合には、青色ＬＥＤ１６０ｂの駆動電流を低下させ、赤色ＬＥＤ１６０ｃの駆動電流を増加させる、あるいは、色温度が低い場合には、赤色ＬＥＤ１６０ｃの駆動電流を低下させ、青色ＬＥＤ１６０ｂの駆動電流を増加させる、かかるようにして、所定の照明特性になった段階で、特性データを取得し、ＣＰＵ１１０の内部メモリに記憶することが理解できる。   　
　     　
　カ　上記記載から、引用文献には次の発明（以下「引用発明」という。）が記載されていると認められる。　　  
 　  
 「表示部を照明するために青色波長の光源からの光を蛍光材料により波長変換して白色光を得る３個の白色ＬＥＤ（１６０ａ、１６０ａ、１６０ａ）を用いた照明光源部と、
３個の青色ＬＥＤ（１６０ｂ、１６０ｂ、１６０ｂ）及び３個の赤色ＬＥＤ（１６０ｃ、１６０ｃ、１６０ｃ）を用いた色温度補正用照明光源と、
白色ＬＥＤおよび色温度補正用照明光源の駆動を行う駆動手段と、
照明調整モードを設定する設定手段と、
白色ＬＥＤの特性データを記載した特性記憶手段と、
照明調整モードが設定されたとき、特性データ記憶手段により記憶された特性データに基づいて、駆動手段を制御する制御手段と、を有し、
　制御手段は、照明調整モードで駆動された照明光源および色温度補正用照明光源の合成特性が、所定の特性になるよう駆動手段を制御し、所定の特性における駆動状態に基づき特性データを変更し、
　照明光源部と色温度補正用照明光源は同じ回路基板上に配列され、色温度補正用照明光源は青色ＬＥＤと赤色ＬＥＤとを組み合わせた素子であり、
　調整モードでは、
　現在のバックライト発光特性を測色的に測定し、測定した発光特性に基づき、色温度が高い場合には、青色ＬＥＤの駆動電流を低下させ、赤色ＬＥＤの駆動電流を増加させる、あるいは、色温度が低い場合には、赤色ＬＥＤの駆動電流を低下させ、青色ＬＥＤの駆動電流を増加させる、かかるようにして、所定の照明特性になった段階で、特性データを取得し、ＣＰＵの内部メモリに記憶する、
　電子機器。」  　
　　
３　対比 
　本願発明と引用発明とを対比する。
（１）引用発明の「照明光源部」は本願発明の「混合光ＬＥＤ」に相当し、同様に、
　「色温度補正用照明光源」は「補助ＬＥＤ」に、
　「回路基板」は「基板」に、　 
　「配列され」は「取り付けられ」に、それぞれ、相当する。 
　 
（２）引用発明の「色温度補正用照明光源」が「青色ＬＥＤと赤色ＬＥＤとを組み合わせた素子」であることに照らせば、
　引用発明の「色温度補正用照明光源」は、放射波長が異なる複数のＬＥＤチップを有することになる。　
 　 　 　 
（３）引用発明の「電子機器」は、「照明光源部」及び「色温度補正用照明光源」とを有しているから、引用発明は「ＬＥＤ光源装置」を備えているといえる。　
　
（４）してみると、本願発明と引用発明とは以下の点で一致する。  
　＜一致点＞  
 「複数の混合光ＬＥＤおよび複数の補助ＬＥＤを包含する、複数のＬＥＤを有するＬＥＤ光源装置において、
　前記混合光ＬＥＤは１つのＬＥＤチップをそれぞれ有し、
　補助ＬＥＤは放射波長が異なる複数のＬＥＤチップをそれぞれ有し、
　ＬＥＤチップは共通の基板上に取り付けられている、
ＬＥＤ光源装置。」
  　      　
（５）一方で、本願発明と引用発明とは、以下の点で相違する。  
　＜相違点１＞ 　  
　混合光ＬＥＤ及び補助ＬＥＤに関し、 
　本願発明は、「混合光ＬＥＤ（１）は１つのＬＥＤチップ（４）をそれぞれ有し、該１つのＬＥＤチップ（１）はそれぞれ第１のケーシング内に配置されており、
　補助ＬＥＤ（２）は放射波長が異なる複数のＬＥＤチップ（６，７，８）をそれぞれ有し、該ＬＥＤチップ（６，７，８）はそれぞれ共通の第２のケーシング（９）内に配置されており、
　前記第１のケーシングおよび前記第２のケーシング（９）は共通の基板（３）上に取り付けられている」のに対して、 
　引用発明は、ケーシング内に配置されているか否か不明である点。
　　
　＜相違点２＞　 　 
　ＬＥＤ光源装置に関し、
　本願発明は、「ＬＥＤモジュール」であるのに対して、
　引用発明は、「ＬＥＤモジュール」と呼べるものであるか否か不明である点。　
　　　
４　判断 　  
（１）上記＜相違点１＞について検討する。  
　ア　１つのＬＥＤチップを１つのケーシング内に配置したＬＥＤ及び放射波長が異なる複数のＬＥＤチップをまとめて１つのケーシング内に配置したＬＥＤは、それぞれ、本願の優先日時点で周知である（例えば、 
（ア）特開２００３−８６８４６号公報の【００５０】及び図７を参照。 
　ａ　【００５０】には、１つのＬＥＤ内部にＲＧＢそれぞれから選択される２以上のＬＥＤチップ設置することが記載されている。
　
　ｂ　図７は、以下のものである。
    　
（イ）特開２００２−３１４１３８号公報の【００４１】ないし【００５８】、図１及び図２を参照。
　ａ　【００５８】には、赤色の発光素子と青色の発光素子を組合わせて白色の発光を得ることが記載されている。
　
　ｂ　図１は、以下のものである。
　　
（ウ）特開２００１−５３３４０号公報の【０００２】ないし【０００４】及び図７を参照。
　ａ　【０００４】には、ＬＥＤ素子１ａは、例えば赤色を発色し、ＬＥＤ素子１ｂは、例えば緑色を発色することが記載されている。
　
　ｂ　図７は、以下のものである。
        　
（エ）特開平１１−４５９５８号公報の【００１４】及び図３を参照。　
　ａ　【００１４】には、ＬＥＤ１０は、赤、緑、青の各発光部を１つの樹脂製パッケージ１１内へ収納させたものであることが記載されている。
　
　ｂ　図３は、以下のものである。
　　　
（オ）特開平９−３２１３４１号公報の【００１３】及び図１を参照。　
　ａ　【００１３】には、パッケージ１内に、ＲＧＢがそれぞれ発光可能なＬＥＤチップが３個設けられていることが記載されている。
　
　ｂ　図１は、以下のものである。
   　
（カ）特開平７−３８１５４号公報の【００１９】及び図１ないし３を参照。   　
　ａ　【００１９】には、図２及び図３は、それぞれ２色及び３色の多色チップの実施例であることが記載されている。
　
　ｂ　図２は、以下のものである。
　
（キ）特開平６−１０４４８８号公報の【００１４】及び図４を参照。
　ａ　【００１４】には、表面実装形発光ダイオード１０ａは異なる発光色の発光ダイオード素子１２ａ、１２ｂを内蔵していることが記載されている。
　
　ｂ　図４は、以下のものである。
　　　　
　以下「周知技術」という。）。　 
 　 
　イ　上記周知技術に照らせば、
　引用発明において、
　白色ＬＥＤ（１６０ａ、１６０ａ、１６０ａ）のそれぞれを、１つのケーシング内に配置するとともに、　
　放射波長が異なる青色ＬＥＤ（１６０ｂ）と赤色ＬＥＤ（１６０ｃ）を、１つのケーシング内に配置することは、当業者が容易になし得たことである。
　       　
　ウ　その結果、引用発明の「照明光源部」のＬＥＤと「色温度補正用照明光源」のＬＥＤとは、それぞれ、別のケーシング内に配置されるとともに、共通の「基板（回路基板）」上に取り付けられ（配列され）たものとなる。 
 　 　 
　エ　以上の検討からして、引用発明において、上記＜相違点１＞に係る本願発明の構成を採用することは、当業者が上記周知技術に基づいて容易になし得たことである。     　　
　　                   　
（２）上記＜相違点２＞について検討する。  　
　ア　上記（１）で検討したように、
　引用発明の「照明光源部」のＬＥＤと「色温度補正用照明光源」のＬＥＤを、それぞれ、別のケーシング内に配置するとともに、共通の基板上に取り付けることは、当業者が容易になし得たことである。
　
　イ　上記アに照らせば
　引用発明の「電子機器」が備える「ＬＥＤ光源装置」は、本願発明を特定するために必要なすべての発明特定事項を備えたものとなるから、本願発明と同様に「ＬＥＤモジュール」と呼べるものである。
　
　ウ　以上の検討からして、引用発明において、上記＜相違点２＞に係る本願発明の構成を採用することは、当業者が上記周知技術に基づいて容易になし得たことである。  
　　                                       　
（３）効果
　本願発明の奏する効果は、当業者が引用発明及び周知技術から予測し得る範囲内のものである。　　  　　　 　 
　 　　 
５　進歩性についてのまとめ 
　本願発明は、当業者が引用文献に記載された発明及び周知技術に基づいて容易に発明をすることができたものである。 
　　　　 　
第４　むすび 　 　 
　以上のとおり、本願発明は、当業者が引用文献に記載された発明及び周知技術に基づいて容易に発明をすることができたものであるから、特許法第２９条第２項の規定により特許を受けることができない。 　 
　
　よって、結論のとおり審決する。